(57)【要約】【課題】乳幼児にとってリムーバブルメディアを取り外すことを困難な画像形成装置を提供する。【解決手段】画像形成装置１には、リムーバブルメディア挿入口であるスロット１８ａを覆うリムーバブルメディア開閉蓋７が設けられている。そして、リムーバブルメディア開閉蓋７の開放を許容する許容位置とリムーバブルメディア開閉蓋７の開放を阻止する阻止位置とに移動するカバー押さえ部材として、第１排紙トレイ６から第２排紙トレイを引き出すための第２排紙トレイ引き出し取手部８が、併用される。よって、乳幼児にとってリムーバブルメディアを取り外すことを困難な構成とすることができる。【選択図】図１
2011185985.tif 000002
【特許請求の範囲】
【請求項１】
リムーバブルメディアを挿入するための挿入口を備えた画像形成装置において、
前記挿入口を覆うカバーと、
前記カバーの開放を許容する許容位置と前記カバーの開放を阻止する阻止位置とに移動するカバー押さえ部材と、
を備えることを特徴とする画像形成装置。
【請求項２】
前記画像形成装置の筐体に収納可能な排紙トレイを備え、
前記排紙トレイは、上記カバー押さえ部材として併用され、前記画像形成装置の筐体に収納されると前記カバーを覆うように形成されており、
前記阻止位置は、前記排紙トレイが前記画像形成装置の筐体に収納される位置であることを特徴とする請求項１に記載の画像形成装置。
【請求項３】
前記排紙トレイは、第１排紙トレイと当該第１排紙トレイに収納可能な第２排紙トレイとを備え、
前記第２排紙トレイは、前記第１排紙トレイから当該第２排紙トレイを引き出すための、前記第１排紙トレイから露出した取手部を備え、
前記取手部は、前記第２排紙トレイが前記第１排紙トレイに収納され、かつ、前記第１排紙トレイが前記画像形成装置の筐体に収納されると、前記カバーを覆うように形成されていることを特徴とする請求項２に記載の画像形成装置。
【請求項４】
前記カバーは、前記取手部を嵌合可能な取手収容部を備えることを特徴とする請求項３に記載の画像形成装置。
【請求項５】
前記カバーは嵌合部を有し、前記阻止位置は、前記嵌合部に前記カバー押さえ部材が嵌合する位置であり、
さらに、前記画像形成装置の筐体に収納可能な第１排紙トレイと、当該第１排紙トレイに収容可能な第２排紙トレイとを備え、
前記カバー押さえ部材は、前記第２排紙トレイが前記第１排紙トレイへ収納されるのに連動して、前記嵌合部に嵌合するよう形成されていることを特徴とする請求項１に記載の画像形成装置。
【発明の詳細な説明】
【技術分野】
【０００１】
本発明は、メモリーカードやＵＳＢメモリ等のリムーバブルメディアを着脱可能な画像形成装置に関する。
【背景技術】
【０００２】
近年、複合機、複写機、プリンタ、ファクシミリ等の画像形成装置において、メモリーカードやＵＳＢメモリ等のリムーバブルメディア（記憶媒体）を着脱可能になっているものがある。リムーバブルメディアを着脱可能な画像処理装置では、当該リムーバブルメディアが挿入されると、このリムーバブルメディアから印刷用画像データの入力を行ったり、リムーバブルメディアから最新バージョンのファームウェアやオプションソフトのインストールを行ったりすることが可能である。
【０００３】
このようなリムーバブルメディアを用いる画像処理装置として、特許文献１には、前面にメモリーカードを挿入するためのメモリスロットを有した画像読取記録装置が開示されている。特許文献２には、カード挿入部を覆う保護カバーを設け、保護カバーの開閉はカードスロットより筐体の内側に設けたプリンタが開示されている。特許文献３には、原稿カバーの側面にメモリーカード接続部を設けたプリンタが開示されている。特許文献４には、カードスロットを覆う閉姿勢と、カードスロットを開放する開姿勢とに揺動可能な保護カバーを設けたプリンタが開示されている。特許文献５には、開閉可能で閉状態の排出スタッカによりメモリーカードスロットがカバーされる記録装置が開示されている。
【先行技術文献】
【特許文献】
【０００４】
【特許文献１】特開２００８−５３８１９
【特許文献２】特開２００５−５９２９５
【特許文献３】特開２００７−１５０６８５
【特許文献４】特開２００５−７９７７９
【特許文献５】特開２００７−２２３２４３
【発明の概要】
【発明が解決しようとする課題】
【０００５】
ところで、前記のリムーバブルメディアは、小型化が進んでその可搬性が向上する反面、その小ささのために乳幼児が誤って飲み込んでしまい、深刻な事故につながってしまうといった危険も有している。よって、このような危険を回避するために、リムーバブルメディアを着脱可能な画像形成装置においては、リムーバブルメディアが挿入されているスロットから当該リムーバブルメディアを乳幼児が容易に取り外せないようにすることが必要である。
【０００６】
しかしながら、特許文献１では、画像読取記録装置の前面にメモリーカードを挿入するためのメモリスロットがある為、乳幼児が誤ってメモリーカードを取り出すおそれがある。また、特許文献２では、保護カバーでカード挿入部を覆ってはいるものの、保護カバーは操作パネル側から下方へ開く。そのため、乳幼児が誤って保護カバーの上部に手をかけ保護カバーを開き、メモリーカードを取り出すおそれがある。
【０００７】
特許文献３では、原稿カバーの前面にメモリーカード接続部がある為、乳幼児にとってもメモリーカードの視認性が高く、メモリーカードを取り出すおそれがある。特許文献４では、カードスロットの保護カバーを自動で開閉する点では有効であるが、部品点数が多くなり、電源ＯＮ状態でしか作用しなく、高価な構成となってしまう。
【０００８】
特許文献５では、メモリーカード用スロットは、排出スタッカを開いた際、むき出し状態である為、画像形成装置を使用している際に乳幼児にメモリーカードの在りかが容易に解ってしまうおそれがある。また、この排出スタッカは、大サイズ紙を受ける構成にはなってなく不便である。さらに、メモリーカードが乳幼児の誤飲に繋がるおそれがあることも考慮されていない。
【０００９】
そこで、本発明は、上記課題に鑑みなされたものであり、乳幼児がリムーバブルメディアを取り外し難い画像形成装置を提供することを目的とする。
【課題を解決するための手段】
【００１０】
本発明に係る画像形成装置は、リムーバブルメディアを挿入するための挿入口を備えた画像形成装置において、前記挿入口を覆うカバーと、前記カバーの開放を許容する許容位置と前記カバーの開放を阻止する阻止位置とに移動するカバー押さえ部材と、を備えることを特徴としている。
【００１１】
上記構成によると、リムーバブルメディアを挿入するための挿入口をカバーで覆い、さらに、カバーの開放を許容する許容位置とカバーの開放を阻止する阻止位置とに移動するカバー押さえ部材により、カバーの開放が許容または阻止される。よって、リムーバブルメディアを画像形成装置から取り出すには、カバー押さえ部材を許容位置に移動させて、カバーを開放する必要がある。そのため、例え乳幼児が誤って画像形成装置に触れた場合であっても、容易にリムーバブルメディアの取り出すことはできない。延いては、乳幼児のリムーバブルメディアの誤飲を防止できる。
【００１２】
本発明に係る画像形成装置は、上記構成に加え、前記画像形成装置の筐体に収納可能な排紙トレイを備え、前記排紙トレイは、上記カバー押さえ部材として併用され、前記画像形成装置の筐体に収納されると前記カバーを覆うように形成されており、前記阻止位置は、前記排紙トレイが前記画像形成装置の筐体に収納される位置であってもよい。
【００１３】
上記構成によると、前記カバー押さえ部材として、排紙トレイを用い、前記阻止位置は、前記排紙トレイが前記画像形成装置の筐体に収納される位置である。よって、排紙トレイを画像形成装置の筐体に収納することで、排紙トレイによりカバーを覆うので、余分な部品を必要とせず、簡易な構成で安価に、リムーバブルメディアの取り出し防止する構成とすることができる。
【００１４】
本発明に係る画像形成装置は、上記構成に加え、前記排紙トレイは、第１排紙トレイと当該第１排紙トレイに収納可能な第２排紙トレイとを備え、前記第２排紙トレイは、前記第１排紙トレイから当該第２排紙トレイを引き出すための、前記第１排紙トレイから露出した取手部を備え、前記取手部は、前記第２排紙トレイが前記第１排紙トレイに収納され、かつ、前記第１排紙トレイが前記画像形成装置の筐体に収納されると、前記カバーを覆うように形成されていてもよい。
【００１５】
上記構成によると、前記カバー押さえ部材として、前記排紙トレイに含まれる、第１排紙トレイから第２排紙トレイを引き出すための、第１排紙トレイから露出した取手部を、用いる。よって、第２排紙トレイが第１排紙トレイに収納され、かつ、第１排紙トレイが画像形成装置の筐体に収納されると、取手部がカバーを覆う。このように、取手部にてカバーを押えるので、余分な部品を必要とせず、簡易な構成で安価に、リムーバブルメディアの取り出し防止する構成とすることができる。また、第１排紙トレイから第２排紙トレイを引き出すことで、記録シートとしてサイズが大きいシートを用いて画像形成した場合であっても、容易に印刷物を受けることができる。
【００１６】
本発明に係る画像形成装置は、上記構成に加え、前記カバーは、前記取手部を嵌合可能な取手部収容部を備えていてもよい。
【００１７】
上記構成によると、前記取手部を嵌合可能な取手部収容部を備えているため、前記取手部を取手部収容部に嵌合することで、画像形成装置におけるリムーバブルメディアの取り出し面を略フラットな形状に構成することが可能となる。よって、画像形成装置の外観がすっきりしたデザインとなり、かつ、乳幼児にリムーバブルメディアの挿入部を解り難くすることができる。
【００１８】
本発明に係る画像形成装置は、上記構成に加え、前記カバーは嵌合部を有し、前記阻止位置は、前記嵌合部に前記カバー押さえ部材が嵌合する位置であり、さらに、前記画像形成装置の筐体に収納可能な第１排紙トレイと、当該第１排紙トレイに収容可能な第２排紙トレイとを備え、前記カバー押さえ部材は、前記第２排紙トレイが前記第１排紙トレイへ収納されるのに連動して、前記嵌合部に嵌合するよう形成されていてもよい。
【００１９】
上記構成によると、第２排紙トレイが第１排紙トレイに収納されることに連動して、カバー押さえ部材は、カバーが有する嵌合部に嵌合する。この嵌合により、カバーの開閉が不可能になる。よって、リムーバブルメディアを画像形成装置から取り出すには、第２排紙トレイを第１排紙トレイから引き出し、カバーを開放する必要がある。よって、例え乳幼児が誤って画像形成装置に触れた場合であっても、容易にリムーバブルメディアの取り出すことはできない。延いては、乳幼児のリムーバブルメディアの誤飲を防止できる。
【発明の効果】
【００２０】
本発明に係る画像形成装置は、以上のように、リムーバブルメディアを挿入するための挿入口を備えた画像形成装置において、前記挿入口を覆うカバーと、前記カバーの開放を許容する許容位置と前記カバーの開放を阻止する阻止位置とに移動するカバー押さえ部材と、を備えている。
【００２１】
上記構成によると、リムーバブルメディアを挿入するための挿入口をカバーで覆い、さらに、カバーの開放を許容する許容位置とカバーの開放を阻止する阻止位置とに移動するカバー押さえ部材により、カバーの開放が許容または阻止される。よって、リムーバブルメディアを画像形成装置から取り出すには、カバー押さえ部材を許容位置に移動させて、カバーを開放する必要がある。そのため、例え乳幼児が誤って画像形成装置に触れた場合であっても、容易にリムーバブルメディアの取り出すことはできない。延いては、乳幼児のリムーバブルメディアの誤飲を防止できる。
【図面の簡単な説明】
【００２２】
【図１】本発明の一実施形態の画像形成装置の外観を示す斜視図である。
【図２】上記画像形成装置の概略断面図である。
【図３】上記画像形成装置の概略正面図である。
【図４】（ａ）は、上記画像形成装置の第１排紙トレイが閉じた状態のときのリムーバブルメディア開閉蓋付近の拡大図、（ｂ）は、上記画像形成装置の第１排紙トレイを開けた状態のときのリムーバブルメディア開閉蓋付近の拡大図、（ｃ）は、リムーバブルメディア挿入口付近の拡大図である。
【図５】上記画像形成装置の第１排紙トレイから第２排紙トレイを引き出した図である。
【図６】本発明の他の実施形態の画像形成装置の第１排紙トレイから第２排紙トレイを引き出した図である。
【図７】（ａ）は、上記他の実施形態の画像形成装置の第１排紙トレイを閉じた状態のときの第１排紙トレイ回転軸付近の拡大図、（ａ）は、上記他の実施形態の画像形成装置の第１排紙トレイを開けた状態のときの第１排紙トレイ回転軸付近の拡大図である。
【図８】（ａ）はＳＤメモリーカードの表面を示した図、（ｂ）はＳＤメモリーカードの裏面を示した図、（ｃ）はＳＤＨＣ（登録商標）メモリーカードの表面を示した図であり、（ｄ）はＳＤＨＣメモリーカードの裏面を示した図である。
【図９】（ａ）はコンパクトフラッシュ（登録商標）の表面を示した図であり、（ｂ）はコンパクトフラッシュ（登録商標）の裏面を示した図である。
【図１０】（ａ）はｍｉｃｒｏＳＤメモリーカードの表面を示した図であり、（ｂ）はｍｉｃｒｏＳＤメモリーカードの裏面を示した図である。
【発明を実施するための形態】
【００２３】
以下、本発明の実施の形態について、図を参照に詳細に説明する。
【００２４】
〔実施の形態１〕
図１は本発明の一実施形態である画像形成装置１の斜視図であり、図２は、画像形成装置１の断面図である。
【００２５】
画像形成装置１は、スキャナ部２とプリンタ部３とを備え、ネットワークを介して接続されたＰＣ（Personal Computer）等の各種端末装置から送信される画像データあるいはスキャナ部２にて読み取った画像データに応じて、所定のシート（記録用紙）に対して多色および単色の画像を形成する。
【００２６】
また、画像形成装置１は、ユーザが画像形成装置１への操作を行うための操作部３０を有している。スキャナ部２の上部には原稿カバー４が設けられている。
【００２７】
プリンタ部３は、画像データに基づいてシート上にトナー像を形成するブロックである。プリンタ部３は、露光部９、現像部１０、感光体１１、転写ローラ１２、クリーニング部１３、定着部１４、給紙トレイ５、給紙ローラ１５、排紙ローラ１６、記録紙搬送路１７、第１排紙トレイ６、リムーバブルメディア開閉蓋７、リムーバブルメディア挿入部１８等を有している。
【００２８】
露光部９は、図示しない画像処理部から出力された画像データに応じて、図示しない帯電装置にて帯電された感光体１１の表面を露光することにより、感光体１１表面に静電潜像を書き込む機能を有する。露光部９としては、レーザ照射部および反射ミラーを備えたレーザスキャニングユニット（ＬＳＵ）や、ＥＬやＬＥＤ等の発光素子をアレイ状に並べた書き込み装置（例えば、書き込みヘッド）を使用することができる。
【００２９】
給紙トレイ５に配置されたシートは、記録紙搬送路１７に沿って、給紙ローラ１５により搬送される。
【００３０】
現像部１０は、露光部９によって感光体１１表面に形成された静電潜像を現像してトナー像（可視像）を形成する。現像部１０は、現像剤を収容する現像槽と、現像剤を担持して感光体１１に搬送するする現像ローラ等を有している。
【００３１】
転写ローラ１２は、感光体１１上に形成されたトナー像を、記録紙搬送路１７を搬送されるシートに転写するものである。転写ローラ１２には、トナーの帯電極性とは、逆極性のバイアス電圧が印加される。
【００３２】
クリーニング部１３は、シートへのトナー像転写後に、感光体１１の表面に残存しているトナーを除去および回収する装置である。
【００３３】
なお、説明を簡単にするため、図では感光体１、現像部１０、転写ローラ１２、クリーニング部１３がそれぞれ１つである単一色の画像形成装置を描画している。ブラック（Ｋ）、シアン（Ｃ）、マゼンタ（Ｍ）、イエロー（Ｙ）の４色を用いたカラー画像を形成するには、各色に応じた潜像が形成されるように、感光体１、現像部１０、転写ローラ１２、クリーニング部１３は、各色に応じて４つ設置される。なお、これら４色に限定されなくてもよく、例えばシアンおよびマゼンタと同一の色相で濃度がより薄い特性をもつライトシアン（ＬＣ）およびライトマゼンタ（Ｌｍ）を加えた６色であってもよい。また、感光体１１からシートに直接転写するのではなく中間転写ベルトを用いた中間転写方式であってもよい。
【００３４】
定着部１４は、ヒートローラおよび加圧ローラを備え、これらによりシートを挟んで搬送し、シート上のトナー像を、シートに定着させるものである。ヒートローラは、図示しない温度検出器からの信号に基づいて制御部によって所定の定着温度となるように設定されており、加圧ローラとともにシートを搬送して、シートに転写されたトナー像を溶融・混合・圧接して、シートに熱定着させる。
【００３５】
トナー像が熱定着されたシートは、排紙ローラ１６により、第１排紙トレイ６に排紙される。第１排紙トレイ６は、使用しないときは、図１に示すように、プリンタ部３の筐体の外壁の一部を成すように略垂直に筐体に収納されている（筐体側に倒されている）。これを第１排紙トレイ６を閉じた状態と呼ぶことにする。使用時には、図２に示すように、第１排紙トレイ６が略水平になるように、プリンタ部３の筐体から出す（筐体から離れるように倒される）。これを第１排紙トレイ６を開けた状態と呼ぶことにする。
【００３６】
また、図５に示すように、第２排紙トレイ１９の中には第２排紙トレイ１９が収納されている。大型のシートを排出する際には、第２排紙トレイ１９を第１排紙トレイ６から引き出す。ユーザが、第２排紙トレイ１９を第１排紙トレイ６から引き出す取っ掛かりとして、第２排紙トレイ１９には第２排紙トレイ引き出し取手部８が設けられている。そして、第１排紙トレイ６には、取手部格納部８ａが設けられており、第１排紙トレイ６の中に第２排紙トレイ１９が収納されているとき、第２排紙トレイ引き出し取手部８が取手部格納部８ａから露出している。
【００３７】
上記では、レーザ方式の画像形成装置について説明しているが、インクジェット方式の画像形成装置であっても構わない。
【００３８】
さらに、本実施形態の画像形成装置１は、リムーバブルメディアを挿入するためのリムーバブルメディア挿入部１８を備えている。リムーバブルメディア挿入部１８には、リムーバブルメディア挿入口としてスロット１８ａが形成されており、リムーバブルメディアを着脱可能になっている。互いに異なる規格のリムーバブルメディアを挿入するために複数のスロットが形成されていてもよい。なお、リムーバブルメディア挿入部１８にリムーバブルメディア単体で挿入しても、またリムーバブルメディアをアダプタに挿入してからリムーバブルメディア挿入部１８へ挿入してもよい。
【００３９】
画像形成装置１は、リムーバブルメディア挿入部１８に装着しているリムーバブルメディアに対するデータの書き込みおよびリムーバブルメディアからデータを読み出すリーダライタであるドライブを備えている。そして、リムーバブルメディア挿入部１８に挿入されたリムーバブルメディアから読み出される画像情報に基づいて印刷処理を行うことが可能になっている。また、ファームウェアの更新プログラムを記憶したリムーバブルメディアがリムーバブルメディア挿入部１８に挿入されると、当該リムーバブルメディアに記憶されている更新プログラムに基づいて、画像形成装置１にインストールされているファームウェアが更新されるようになっている。
【００４０】
さらに、画像形成装置１のオプションソフトを記憶したリムーバブルメディアがリムーバブルメディア挿入部１８に挿入されると、当該リムーバブルメディアから画像形成装置１に前記オプションソフトがインストールされるようになっている。
【００４１】
リムーバブルメディアとしては、例えば、図８（ａ），（ｂ）に示すＳＤメモリーカード、図８（ｃ），（ｄ）に示すＳＤＨＣ（登録商標）メモリーカード、図９に示すコンパクトフラッシュ（登録商標）、図１０に示すｍｉｃｒｏＳＤメモリーカードなどの各種メモリーカードを用いることができる。また、図示したメモリーカード以外のリムーバブルメディアも勿論用いることができる。例えば、ＳＤＸＣメモリーカード、ｍｉｎｉＳＤメモリーカード、ｍｉｃｒｏＳＤメモリーカード、ｍｉｃｒｏＳＤＨＣメモリーカード、ｘＤピクチャーカード（登録商標）、メモリースティック（登録商標）、マイクロドライブ（登録商標）、スマートメディア（登録商標）、マルチメディアカード、ＭＭＣｐｌｕｓなどのメモリーカードや、ＵＳＢメモリなどであってもよい。
【００４２】
リムーバブルメディア挿入部１８のスロット１８ａは、リムーバブルメディア開閉蓋７が覆われている。リムーバブルメディア開閉蓋７を閉じると、スロット１８ａが隠蔽され、リムーバブルメディア開閉蓋７を開くと、スロット１８ａが露出する。さらに、リムーバブルメディア開閉蓋７は、第２排紙トレイ引き出し取手部８により開閉が制御されている。
【００４３】
図１に示すように、第１排紙トレイ６を閉じた状態のときは、リムーバブルメディア開閉蓋７は、第２排紙トレイ引き出し取手部８により押さえられた状態となる。よって、リムーバブルメディア開閉蓋７の開放は阻止される（リムーバブルメディア開閉蓋７は開かない）。この第２排紙トレイ引き出し取手部８とは、図５に示すように、第１排紙トレイ６から第２排紙トレイ１９を引き出すための取手である。
【００４４】
図３に示すように、第１排紙トレイ６を開けた状態のときは、第２排紙トレイ引き出し取手部８は、リムーバブルメディア開閉蓋７から外れる。よって、リムーバブルメディア開閉蓋７は、開閉可能となる。なお、リムーバブルメディア開閉蓋７をユーザが指で開閉し易いようにリムーバブルメディア開閉蓋７に沿った位置に凹部２０を設けている。
【００４５】
リムーバブルメディア開閉蓋７の開閉に詳細について、図４（ａ）〜（ｃ）を用いて説明する。図４（ａ）は、第１排紙トレイ６が閉じた状態のときの、リムーバブルメディア開閉蓋７付近の拡大図である。リムーバブルメディア開閉蓋７には、第２排紙トレイ引き出し取手部８を嵌め込む凹部である取手収容部２１が設けられている。第１排紙トレイ６が閉じた状態のときは、第２排紙トレイ引き出し取手部８と取手収容部２１とは嵌合しており、リムーバブルメディア開閉蓋７の開放は阻止される。つまり、第２排紙トレイ１９が第１排紙トレイ６に収納され、かつ、第１排紙トレイ６が画像形成装置の筐体に収納される（閉じる）と、第２排紙トレイ引き出し取手部８は、リムーバブルメディア開閉蓋７を覆う。
【００４６】
図４（ｂ）は、第１排紙トレイ６を開けた状態のときの、リムーバブルメディア開閉蓋７付近の拡大図である。第２排紙トレイ引き出し取手部８が取手収容部２１から外れるため、リムーバブルメディア開閉蓋７は開閉可能となる。図４（ｃ）に示すように、リムーバブルメディア開閉蓋７を開くと、スロット１８ａが露出する。なお、図４（ｂ），（ｃ）において、リムーバブルメディア開閉蓋７の開閉支点は図示していない。
【００４７】
以上のように、第２排紙トレイ引き出し取手部８によって、リムーバブルメディア開閉蓋７が押さえられている。第２排紙トレイ引き出し取手部８は、リムーバブルメディア開閉蓋７の開放を許容する許容位置と、リムーバブルメディア開閉蓋７の開放を阻止する阻止位置とに移動する。ここで、許容位置とは、第１排紙トレイ６を開けた状態における第２排紙トレイ引き出し取手部８の位置である。また、阻止位置とは、第１排紙トレイ６が閉じた状態における第２排紙トレイ引き出し取手部８の位置である。
【００４８】
よって、リムーバブルメディア挿入部１８からリムーバブルメディアを取り外すためには、第１排紙トレイ６を開けた状態にすることで、取手収容部２１に嵌められている第２排紙トレイ引き出し取手部８を取手収容部２１から外して、リムーバブルメディア開閉蓋７を開放する必要がある。このような操作は、乳幼児にとって容易ではない。よって、本実施形態の画像形成装置１は、乳幼児にとってリムーバブルメディアを取り外すことが困難となり、誤飲を予防することができる。
【００４９】
上記では、第２排紙トレイ引き出し取手部８によって、リムーバブルメディア開閉蓋７の開放を阻止しているが、第１排紙トレイ６全体で、リムーバブルメディア開閉蓋７を覆うようにして、リムーバブルメディア開閉蓋７の開放を阻止してもよい。この場合、第１排紙トレイ６は、リムーバブルメディア開閉蓋７の開放を許容する許容位置と、リムーバブルメディア開閉蓋７の開放を阻止する阻止位置とに移動する。この場合、許容位置とは、第１排紙トレイ６を開けた状態の位置である。また、阻止位置とは、第１排紙トレイ６が閉じた状態の位置である。
【００５０】
〔実施の形態２〕
本実施形態の画像形成装置は、実施の形態１の画像形成装置１と比べて、リムーバブルメディア開閉蓋７の開閉動作が異なり、この開閉動作に関する構成が異なっているが、その他は同じ構成である。よって、同じ構成部材には同じ番号を付し説明を省略する。
【００５１】
本実施形態のリムーバブルメディア開閉蓋７の開閉動作について説明する。
【００５２】
図６に示すように、リムーバブルメディア開閉蓋７は、蓋開閉支柱７ｃが、リムーバブルメディア開閉蓋７に接続する蓋開閉支柱嵌合部７ｂから外れることで、開閉可能となる。リムーバブルメディア開閉蓋７は、蓋開閉支点７ａを中心に開閉する。この開閉について詳細に説明する。
【００５３】
図７（ｂ）に示す第１排紙トレイ６を閉じた状態から、図７（ａ）に示す第１排紙トレイ６を開けた状態にする。第１排紙トレイ６を開けた状態で、第１排紙トレイ６から第２排紙トレイ１９を引き出すことで、蓋開閉支柱７ｃを蓋開閉支柱７ｃの下で支える蓋開閉支柱支持部７ｄが、垂直方向下向きに下がる。ここで、蓋開閉支柱支持部７ｄは、例えば樹脂で、第１排紙トレイ６と一体に形成されている。第２排紙トレイ１９が第１排紙トレイ８に格納されているときは、蓋開閉支柱７ｃは蓋開閉支柱嵌合部７ｂと嵌合しており、リムーバブルメディア開閉蓋７の開放は阻止される。よって、第２排紙トレイ１９を引き出すことに連動して、開閉支柱７ｃと蓋開閉支柱嵌合部７ｂとの嵌合が外れる。また、第２排紙トレイ１９を第１排紙トレイ６に収納することに連動して、開閉支柱７ｃは蓋開閉支柱嵌合部７ｂに嵌合する。
【００５４】
図６に示すように、蓋開閉支柱支持部７ｄが下がることで、蓋開閉支柱７ｃも蓋開閉支柱支持部７ｄと一緒に垂直方向下向きに下がり、蓋開閉支柱７ｃは蓋開閉支柱嵌合部７ｂから外れる。蓋開閉支柱７ｃは蓋開閉支柱嵌合部７ｂから外れると、リムーバブルメディア開閉蓋７は開放される（開閉可能となる）。なお、図６では、蓋開閉支柱７ｃの上下移動を支持する支持部材は図示していない。
【００５５】
以上のように、蓋開閉支柱７ｃによって、リムーバブルメディア開閉蓋７の開放が抑制される。蓋開閉支柱７ｃは、リムーバブルメディア開閉蓋７の開放を許容する許容位置と、リムーバブルメディア開閉蓋７の開放を阻止する阻止位置とに移動する。この場合、許容位置とは、蓋開閉支柱７ｃが蓋開閉支柱嵌合部７ｂと嵌合する位置である。また、阻止位置とは、蓋開閉支柱７ｃが蓋開閉支柱嵌合部７ｂとの嵌合から外れた位置である。
【００５６】
よって、リムーバブルメディア挿入部１８からリムーバブルメディアを取り外すためには、第１排紙トレイ６を開けた状態にし、第２排紙トレイ１９を第１排紙トレイ６から引き出すことで蓋開閉支柱７ｃと蓋開閉支柱嵌合部７ｂとの嵌合を解除して、リムーバブルメディア開閉蓋７を開放する必要がある。このような操作は、乳幼児にとって容易ではない。よって、本実施形態の画像形成装置１は、乳幼児にとってリムーバブルメディアを取り外すことが困難となり、誤飲を予防することができる。
【００５７】
本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。
【産業上の利用可能性】
【００５８】
本発明は、リムーバブルメディアを着脱可能な複合機、複写機、ファクシミリ、プリンタ等の画像形成装置に利用可能である。
【符号の説明】
【００５９】
１      画像形成装置
２      スキャナ部
３      プリンタ部
４      原稿カバー
５      給紙トレイ
６      第１排紙トレイ（カバー押さえ部材）
７      リムーバブルメディア開閉蓋（カバー）
７ａ    蓋開閉支点
７ｂ    蓋開閉支柱嵌合部（嵌合部）
７ｃ    蓋開閉支柱（カバー押さえ部材）
７ｄ    蓋開閉支柱支持部
８      第２排紙トレイ引き出し取手部（カバー押さえ部材、取手部）
１８    リムーバブルメディア挿入部
１８ａ  スロット（挿入口）
１９    第２排紙トレイ
２１    取手収容部
３０    操作部
【図１】
2011185985.tif 000003
【図２】
2011185985.tif 000004
【図３】
2011185985.tif 000005
【図４】
2011185985.tif 000006
【図５】
2011185985.tif 000007
【図６】
2011185985.tif 000008
【図７】
2011185985.tif 000009
【図８】
2011185985.tif 000010
【図９】
2011185985.tif 000011
【図１０】
2011185985.tif 000012